(57)【特許請求の範囲】
【請求項１】
吊元側障子と手先側障子をそれぞれの召合せ框において互いに蝶着して障子構成体を構成し、一対の該障子構成体の、前記吊元側障子の召合せ框に対する縦框を、縦枠側において窓枠に回転自在に組付けると共に、前記手先側障子の前記召合せ框に対する手先框が障子閉塞時に互いに召合うようにした両開き折たたみサッシにおいて、前記一対の障子構成体の屋内側に、前記縦枠に隣接して前記窓枠に固定した定置枠と該定置枠に対して障子開閉方向に進退する移動枠との間に折たたみ伸展自在なジグザグ状の仕切り網を介在させて構成した一対の防虫構成体を配置して前記窓枠に組付け、各防虫構成体の互いに召合う前記移動枠の屋外側面に塞ぎ材を突設すると共に、当該防虫構成体の屋外側に重ならない側の前記障子構成体の前記手先框の屋内面側に、基部片と、該基部片の先端に前記手先框の屋内側に重なり合う方向に連設して前記塞ぎ材が接する先部片とで成り、しかも、手先框の縦方向のほぼ全長にわたる把手片を突設した、両開き折りたたみサッシの防虫装置。
【発明の詳細な説明】
【０００１】
【産業上の利用分野】
本発明は両開き折たたみサッシの防虫装置に関するものである。
【０００２】
【従来の技術】
吊元側障子と手先側障子をそれぞれ召合わせ框において互いに蝶着して障子構成体を構成し、一対の該障子構成体の前記召合せ框に対する縦框を、縦枠側において窓枠に回転自在に組付けると共に、前記手先側障子の前記召合せ框に対する手先框が障子閉塞時に互いに召合うようにした両開き折たたみサッシは具体例を挙げるまでもなく公知であり、該両開き折たたみサッシは、前記障子構成体の屋内側に内外一対の網戸を引違い形式にして前記窓枠に組付けて防虫効果を期するようにしている。
【０００３】
【発明が解決しようとする課題】
前記の従来例は、一対の障子構成体を折りたたんで障子を全開放したときは、網戸によって当該開口部を閉塞することによって防虫効果を期待できるものであるが、一方の障子構成体だけ折りたたんで半開放したときに、閉塞状態位置にある他の一方の障子構成体の手先側障子の手先框と網戸との間に隙間が生じ、防虫上不都合がある。
【０００４】
また、障子閉塞状態時にあっては、左右いずれかの側に網戸が存し、うっとうしいという欠点もある。
【０００５】
本発明は斯様な従来例の欠点に着目して創案したものである。
【０００６】
【課題を解決するための手段】
吊元側障子と手先側障子をそれぞれの召合せ框において互いに蝶着して障子構成体を構成し、一対の該障子構成体の、前記吊元側障子の召合せ框に対する縦框を、縦枠側において窓枠に回転自在に組付けると共に、前記手先側障子の前記召合せ框に対する手先框が障子閉塞時に互いに召合うようにした両開き折たたみサッシにおいて、前記一対の障子構成体の屋内側に、前記縦枠に隣接して前記窓枠に固定した定置枠と該定置枠に対して障子開閉方向に進退する移動枠との間に折たたみ伸展自在なジグザグ状の仕切り網を介在させて構成した一対の防虫構成体を配置して前記窓枠に組付け、各防虫構成体の互いに召合う前記移動枠の屋外側面に、当該防虫構成体の屋外側に重ならない側の前記障子構成体の前記手先框に接する塞ぎ材を突設した構成とするのである。
【０００７】
【実施例】
図面は本発明に係る両開き折たたみサッシの防虫装置の一実施例を示し、図１は横断面図、図２は一部の拡大横断面図、図３は図２のｘ−ｘ´線に沿う上部側の断面図、図４は図２のｘ−ｘ´線に沿う下部側の断面図、図５は塞ぎ材等の斜視図である。
【０００８】
図中、１は障子構成体で、障子構成体１は吊元側障子１Ａと手先側障子１Ｂをそれぞれの召合せ框２ａ，２ｂにおいて互い蝶着して構成し、一対の障子構成体１，１の前記吊元側障子１Ａ，１Ａの前記召合せ２ａ，２ｂに対する縦框３ａ，３ａを、縦枠４，４において窓枠Ａに組付け蝶番５を介して回転自在に組付け、前記手先側障子１Ｂの前記召合せ框２ｂ，２ｂに対する手先框６ａ，６ａが障子閉塞時に互いに召合う（突き合う）ようにして、所謂両開き折たたみサッシを構成する。
【０００９】
前記手先框６ａは、前記召合せ框２ｂに対向してガラスパネル７を挾持する主体部６ａ´と該主体部６ａ´に接続蝶番８を介して回転自在に組付けた把手部６ａ´´とで成り、把手部６ａ´´の、前記接続蝶番８を組付けた主体筒９に吊車１０を組付け、主体筒９の上方に位置させた前記吊車１０のローラ１１を前記窓枠Ａの上枠１２に設けた案内レール１３上に転動自在に載置してある。すなわち、ローラ１１の案内レール１３に沿う転動によって把手部６ａ´´が上枠１２に沿って移動し、吊元側障子１Ａと手先側障子１Ｂで成る障子構成体１の開閉動作が行われる。
【００１０】
また、前記把手部６ａ´´の前記主体筒９の屋内面側に把手片１４を突設し、把手片１４は、前記主体筒９より屋内方向に突設した基部片１４ａと該基部片１４ａの先端に主体筒９の屋内側に重なり合う方向に連接した先部片１４ｂとで成り、主体筒９（乃至手先框６ａ）の縦方向のほぼ全長にわたって設けたもので、障子構成体１の閉塞方向の操作は、この把手片１４を障子閉塞方向に移動することにより行われる。
【００１１】
なお、把手片１４の上下両端には閉塞材１６を突設し、該閉塞材１６によって把手片１４と前記上枠１２又は下枠１５との間の間隙（障子を窓枠に吊込むために必要）ａを閉塞するようにしてある。
【００１２】
閉塞材１６は、把手片１４の先端片１４ｂの端部に、取付け部片１６ａに突設した腕部片１６ｂを係合し、取付け部片１６ａを、前記基部片１４ａに重ね合わせてねじ１７で止着し、取付け部片１６ａに連設した閉塞部片１６ｃを前記間隙ａに突出させたものである。
【００１３】
以上のように構成した一対の障子構成体１，１の屋内側に、各障子構成体１，１と対応するようにして一対の防虫構成体１８，１８を配置して窓枠Ａに組付けてある。
【００１４】
防虫構成体１８は、前記縦枠４に隣接して前記窓枠Ａに固定した定置枠１９と該定置枠１９に対して障子閉塞方向に進退する移動枠２０との間に折りたたみ伸展自在なジグザグ状の仕切り網２１を介在させて構成したもので、一方の防虫構成体１８の移動枠２０には凸部２０ａ、他の一方の防虫構成体１８の移動枠２０には凹部２０ｂをそれぞれ設け、移動枠２０，２０を互いに召合せた（突き合わせた）とき、前記凸部２０ａと凹部２０ｂが互いに係合して移動枠２０，２０間の防虫機能が行われるようにしてある。
【００１５】
また、移動枠２０の屋外側面には、取付け溝２２を縦設し、該取付け溝２２に基部を嵌着した塞ぎ材（弾性変形する）２３を、前記移動枠２０の屋外側面に突設し、該塞ぎ材２３の先端が、当該防虫構成体の屋外側に重ならない側の前記障子構成体の前記手先框６ａ（把手片１４の先部片１４ｂ）に接するようにしてある（前記の仕切り網２１は必要に応じて塞ぎ材２３が手先框６ａに接する位置まで伸展する）。
【００１６】
しかして、サッシ（障子）閉塞状態時には、各防虫構成体１８，１８は、仕切り網２１が折りたたんで移動枠２０を、定置枠１９に横方向（障子開閉方向）に重ねるように配することにより、視界上邪魔にならずに窓枠Ａの縦枠４側に配置される。
【００１７】
手先側障子１Ｂと吊元側障子１Ａを互いに折りたたむようにして各障子構成体１，１を縦枠４側に配すると、障子（サッシ）は全開放され、この状態で、各防虫構成体１８，１８の移動枠２０，２０を互いに近接方向に移動させて凸部２０ａと凹部２０ｂを互いに係合させるようにして移動枠２０，２０同士を互いに召合い状態にすると、各防虫構成体１８，１８の移動枠２０と定置枠１９との間に仕切り網２１が折りたたみ状態から伸展して張設され、障子１Ａ，１Ｂの全開放によって生じた開口部を閉塞して、屋外側と屋内側とに仕切り、障子全開放状態における防虫効果を機能する。
【００１８】
また、一方の障子構成体を障子閉塞状態位置に配置し、他の一方の障子構成体を障子開放状態位置（吊元側障子１Ａと手先側障子１Ｂを折りたたんだ状態）に配置したときは、窓枠Ａの一方の縦枠側が開口した半分開口状態となるが、この場合は、開口した側の防虫構成体１８の移動枠２０を、閉塞した側の障子構成体１の手先側障子１Ｂの手先框６ａ位置に移動させることにより、該開口部は仕切り網２１で閉塞され防虫効果を機能すると共に、移動枠２０の屋外側面側に突出した塞ぎ材２３が前記手先框６ａ（実施例では、把手片１４の先部片１４ｂ）に接触して、移動枠２０と手先框６ａ間の間隔を閉塞して防虫機能する。
【００１９】
なお、図示２３Ａは前記塞ぎ材２３の上側と下側にして該塞ぎ材２３と同様にして移動枠２０に組付けた第二塞ぎ材で、前記間隙ａに隣接して移動枠２０と手先框６ａとの間に生じる間隙ａ´（窓枠Ａに防虫構成体１８を吊込むために必要）を塞ぐものである。
【００２０】
また、防虫構成体１８は、特開平５−２５６０７０号公報所載の組付け網戸装置本体と構成を略同じくし、本発明は防虫構成体１８それ自体に係るものではないので、防虫構成体１８に関する詳細な点は前記公報に記載の通りであるので、説明を省略する。
【００２１】
【発明の効果】
本発明は前記の通りの構成であるから、障子の閉塞時における網戸の存在によるうっとうしさを除去し、障子全開放状態時は勿論、一方の障子構成体側のみを開放した半分開放状態時にも確実に防虫効果を期待できる両開き折たたみサッシを提供できる。
【図面の簡単な説明】
【図１】横断面図。
【図２】一部の拡大横断面図。
【図３】図２のｘ−ｘ´線に沿う上部側の断面図。
【図４】図２のｘ−ｘ´線に沿う下部側の断面図。
【図５】塞ぎ材等の斜視図。
【符号の説明】
Ａ          窓枠
１          障子構成体
１Ａ        吊元側障子
１Ｂ        手先側障子
２ａ，２ｂ  召合せ框
３ａ        縦框
４          縦枠
６ａ        手先框
１８        防虫構成体
１９        定置枠
２０        移動枠
２３        塞ぎ材
【図１】
0003980769.tif 000002
【図２】
0003980769.tif 000003
【図３】
0003980769.tif 000004
【図４】
0003980769.tif 000005
【図５】
0003980769.tif 000006